(57)【要約】【課題】  膨張状態のバルーンの支持部に対する姿勢変化を規制できるようにしながら、非使用時にバルーンを収縮させたときに、照明器具全体のコンパクト化を図り易くする。【解決手段】  支持部３の上側で膨張・収縮自在な透光性を備えたバルーン８と、そのバルーンの内側に収容してある光源用電球９とを支持部の上部に固定可能に設け、バルーンに膨張用空気を供給可能な給気装置３３を設けてある照明器具であって、膨張状態のバルーンの支持部に対する姿勢変化をその外面側から規制可能な規制フレーム１２を、光源用電球周りで、膨張状態のバルーンの下向き外面側にのみ略沿わせる状態で設けてある。【選択図】        図１
2006252869.tif 000002
【特許請求の範囲】
【請求項１】
支持部の上側で膨張・収縮自在な透光性を備えたバルーンと、そのバルーンの内側に収容してある光源用電球とを前記支持部の上部に固定可能に設け、
前記バルーンに膨張用空気を供給可能な給気装置を設けてある照明器具であって、
膨張状態のバルーンの前記支持部に対する姿勢変化をその外面側から規制可能な規制フレームを、前記光源用電球周りで、膨張状態のバルーンの下向き外面側にのみ略沿わせる状態で設けてある照明器具。
【請求項２】
前記規制フレームを構成するに、
複数の規制アームを、膨張状態のバルーンの下向き外面側に略沿うように展開する展開姿勢と、先端側が互いに近接するように格納する格納姿勢とに姿勢切換自在に設けて構成してある請求項１記載の照明器具。
【請求項３】
前記複数の規制アームを上下揺動自在に支持して、前記規制姿勢と前記格納姿勢とに姿勢切換自在に設けてある請求項２記載の照明器具。
【請求項４】
前記光源用電球を、クセノンショートアークランプで構成してある請求項１〜３のいずれか１項記載の照明器具。
【発明の詳細な説明】
【技術分野】
【０００１】
本発明は、支持部の上側で膨張・収縮自在な透光性を備えたバルーンと、そのバルーンの内側に収容してある光源用電球とを前記支持部の上部に固定可能に設け、前記バルーンに膨張用空気を供給可能な給気装置を設けてある照明器具に関する。
【背景技術】
【０００２】
上記照明器具は、電球の光が膨張状態のバルーンを通して照射されるので、夜間の道路工事などにおいて使用しても、通行車両の運転者が感じる眩しさを和らげることができるとともに、非使用時にはバルーンを収縮させて保管したり運搬できる利点があるが、従来、バルーンの内側で電球の周囲を囲む保護枠を支柱などの支持部の上端側に固定可能に設け、膨張状態のバルーンの風などによる支持部に対する姿勢変化を規制するために、その保護枠を利用して、バルーンの膨張状態でその上面部位と下面部位とに対応する箇所を保護枠の上下両端部に固定している（例えば、特許文献１参照）。
【０００３】
【特許文献１】特開２００３−３６７０９号公報
【発明の開示】
【発明が解決しようとする課題】
【０００４】
このため、非使用時にバルーンを収縮させると、バルーンの水平方向に沿う外径は小さくすることができるものの、バルーンの膨張状態でその上面部位と下面部位とに対応する箇所を保護枠の上下両端部に固定してあるので、バルーンの上下方向高さは変えることができず、大きく膨張させるバルーンを設けるほど、非使用時においてバルーンを収縮させても、照明器具全体のコンパクト化を図りにくい欠点がある。
本発明は上記実情に鑑みてなされたものであって、膨張状態のバルーンの支持部に対する姿勢変化を規制できるようにしながら、非使用時にバルーンを収縮させたときに、照明器具全体のコンパクト化を図り易くすることを目的とする。
【課題を解決するための手段】
【０００５】
本発明の第１特徴構成は、支持部の上側で膨張・収縮自在な透光性を備えたバルーンと、そのバルーンの内側に収容してある光源用電球とを前記支持部の上部に固定可能に設け、前記バルーンに膨張用空気を供給可能な給気装置を設けてある照明器具であって、膨張状態のバルーンの前記支持部に対する姿勢変化をその外面側から規制可能な規制フレームを、前記光源用電球周りで、膨張状態のバルーンの下向き外面側にのみ略沿わせる状態で設けてある点にある。
【０００６】
〔作用及び効果〕
膨張状態のバルーンの支持部に対する姿勢変化を、規制フレームでその外面側から規制できるので、非使用時にバルーンを収縮させるときに、そのバルーンの収縮に対して規制フレームが干渉しにくくなり、バルーンを小さく収縮させ易いとともに、規制フレームを、光源用電球周りで、膨張状態のバルーンの下向き外面側にのみ略沿わせる状態で設けてあるので、規制フレームの上下方向寸法も嵩張りにくい。
従って、膨張状態のバルーンの支持部に対する姿勢変化を規制できるようにしながら、非使用時にバルーンを収縮させたときに、照明器具全体のコンパクト化を図り易い。
【０００７】
本発明の第２特徴構成は、前記規制フレームを構成するに、複数の規制アームを、膨張状態のバルーンの下向き外面側に略沿うように展開する展開姿勢と、先端側が互いに近接するように格納する格納姿勢とに姿勢切換自在に設けて構成してある点にある。
【０００８】
〔作用及び効果〕
膨張状態のバルーンの支持部に対する姿勢変化をその外面側から規制可能な規制フレームを、複数の規制アームを、膨張状態のバルーンの下向き外面側に略沿うように展開する展開姿勢と、先端側が互いに近接するように格納する格納姿勢とに姿勢切換自在に設けて構成してあるので、バルーンを膨張させる使用時には、複数の規制アームを膨張状態のバルーンの下向き外面側に略沿うように展開する展開姿勢に切り換えて、膨張状態のバルーンの支持部に対する姿勢変化をその外面側から規制しながら、バルーンを収縮させる非使用時には、複数の規制アームを先端側が互いに近接するように格納する格納姿勢に切り換えることによって、照明器具全体の一層のコンパクト化を図り易い。
【０００９】
本発明の第３特徴構成は、前記複数の規制アームを上下揺動自在に支持して、前記規制姿勢と前記格納姿勢とに姿勢切換自在に設けてある点にある。
【００１０】
〔作用及び効果〕
規制フレームを構成している複数の規制アームを上下揺動自在に支持して、規制姿勢と格納姿勢とに姿勢切換自在に設けてあるので、姿勢切換操作の簡略化を図ることができる。
【００１１】
本発明の第４特徴構成は、前記光源用電球を、クセノンショートアークランプで構成してある点にある。
【００１２】
〔作用及び効果〕
光源用電球を、水銀ランプなどに比べて瞬時に再点灯させ易いクセノンショートアークランプで構成してあるので、所望のタイミングで再点灯させ易い。
【発明を実施するための最良の形態】
【００１３】
以下に本発明の実施の形態を図面に基づいて説明する。
図１，図２は、本発明による照明器具１を設けてある照明装置を示し、照明器具１に照明用電力を供給可能な発電機ユニット２と、照明器具１を発電機ユニット２よりも高い位置で支持可能な支持部３とを台車４に設け、支持部３を上下方向に屈曲可能に設けて、照明器具１を支持部３の一部と共に発電機ユニット２の上方側に向けて下降可能に支持してある。
【００１４】
前記台車４は、ハンドル５で操向操作しながら押し引き移動できるように設けてあり、発電機ユニット２を載置してある荷台６に、発電機ユニット２を囲むパイプ製保護枠７を固定して、その保護枠７に支持部３を固定してある。
【００１５】
前記照明器具１は、支持部３の上側で膨張・収縮自在な透光性を略全体に備えたシート製バルーン８と、そのバルーン８の内側に収容してある光源用電球９としてのクセノンショートアークランプと、光源用電球９のソケットを保持している筒状基部１０とを備え、筒状基部１０に設けた固定用軸部材３６で支持部３の上部に固定可能に設けるとともに、電動ファンなどのバルーン膨張用空気の給気装置３３を筒状基部１０の内側に設けて構成してある。
【００１６】
前記筒状基部１０は、図３に示すように、光源用電球９がバルーン８に接触したり他物との衝突で破損しないように、光源用電球９の周囲を囲む篭状のガード３４を支持していると共に、筒状基部１０に形成してある貫通孔３５を通して、膨張用空気をバルーン８に供給可能に構成してある。
【００１７】
そして、図１に示す使用時（照明時）には、給気装置の駆動でバルーン８を略球形に膨張させ、図２に示す非使用時には、給気装置の駆動を停止してバルーン８を収縮させることができるように構成してある。
【００１８】
また、膨張状態のバルーン８の支持部３に対する姿勢変化をその外面側から規制可能な規制フレーム１２を、光源用電球９周りで、膨張状態のバルーン８の下向き外面側にのみ略沿わせる状態で設けてある。
【００１９】
前記規制フレーム１２は、円弧状に形成してある複数の規制アームを、筒状基部１０側の設けた揺動範囲規制用の長孔３７に挿通するとともに、固定用軸部材３６に上下移動自在に外嵌した環状スライド部材１１に上下揺動自在に放射状に支持してあり、各規制アーム１２の先端側を、バルーン８の外面側にリング状に取り付けてある帯板１３の内側に挿入して、バルーン８の外面側に固定してある。
【００２０】
そして、図１に示すように、環状スライド部材１１を上向きに移動させて、膨張状態のバルーン８の下向き外面側に略沿うように展開する展開姿勢と、図２に示すように、環状スライド部材１１を下向きに移動させて、バルーン８の収縮状態で先端側が互いに近接するように格納する格納姿勢とに姿勢切換自在に設けて構成してある。
【００２１】
前記支持部３は、保護枠７を介して台車４に立設してある支柱１４に、照明器具１を支持する支持体１５を、発電機ユニット２の上方に向けて揺動可能に連結して、上下方向に屈曲可能に構成してある。
【００２２】
そして、照明器具１を支持する支持体１５として、支柱１４の上部に固定したブラケット１６に上下二本の揺動リンク部材１７ａ，１７ｂを上下揺動自在に支持するとともに、これらの揺動リンク部材１７ａ，１７ｂどうしを連接リンク部材１８で連結して、支柱１４側、つまり、ブラケット１６を固定リンクとする平行四連リンク機構を設け、連接リンク部材１８に照明器具１の固定用軸部材３６を着脱自在に固定するとともに、下側揺動リンク部材１７ｂの上端近くとブラケット１６とに亘って、伸縮自在なガスダンパー１９を相対揺動自在に連結してある。
【００２３】
前記ガスダンパー１９は、図４に示すように、ピストン（図外）前後のシリンダケース２０内の空間を連通状態と遮断状態とに切り換え可能なバルブ（図外）をピストンに設けて、そのバルブを開閉操作するためのバルブ操作機構２１で、伸縮可能な状態と伸縮不能なロック状態とに切換自在に構成してある。
【００２４】
前記バルブ操作機構２１は、角筒状の下側揺動リンク部材１７ｂに横軸周りで回転自在に支持してある軸部材２２に、揺動アーム２３と円弧状のバルブ操作ハンドル２４とを一体に固定するとともに、バルブを開閉操作可能な操作ロッド２５を揺動アーム２３に相対揺動自在に連結して、バルブ操作ハンドル２４の上下揺動操作で操作ロッド２５を押し引きしてバルブを開閉操作できるように設けてある。
【００２５】
また、引っ張りコイルスプリング２６を、揺動アーム２３と下側揺動リンク部材１７ｂとに亘って連結して、ガスダンパー１９をロック状態に切り換えるロック位置にバルブ操作ハンドル２４が復帰揺動するように付勢するとともに、照明器具１を昇降させるための昇降操作ハンドル２７を、バルブ操作ハンドル２４の外周側に沿わせる姿勢で、下側揺動リンク部材１７ｂに固定してある。
【００２６】
そして、図４（ロ）の実線で示すロック位置のバルブ操作ハンドル２４を、付勢力に抗して、昇降操作ハンドル２７側の仮想線で示す伸縮位置に揺動させると、ガスダンパー１９が伸縮可能な状態に切り換わって、バルブ操作ハンドル２４と昇降操作ハンドル２７とを片手で同時に握った状態で、ガスダンパー１９を伸縮させながら照明器具１を昇降できるように構成し、図１に示すように、照明器具１を高い位置に保持する使用状態と、図２に示すように、照明器具１を発電機ユニット２上方側の低い位置に格納する格納状態とに、支持部３を屈曲自在に設けてある。
【００２７】
また、照明装置吊り上げ用のクレーンなどのフック２８を係止可能な側面視でＵ字状の係止部材２９を、支柱１４上部に固定してあるブラケット１６に、発電機ユニット２の上方側で上下揺動自在に設けて、図２（ロ）に示すように、照明器具１を発電機ユニット２の上方近くに下降させて格納した格納状態で、クレーンなどで吊り上げて移動するときには、係止部材２９を上向きに揺動させて、フック２８を高い位置で係止できるように構成してある。
【００２８】
〔その他の実施形態〕
１．本発明による照明器具は、規制フレームを支持部や支持部への固定用部材などに対して溶接などで一体に固定してあっても良い。
２．本発明による照明器具は、規制フレームを支持部や支持部への固定用部材などに対して着脱自在に固定してあっても良い。
３．本発明による照明器具は、網状や板状の規制フレームを設けてあっても良い。
【図面の簡単な説明】
【００２９】
【図１】（イ）照明装置の正面図  （ロ）照明装置の側面図
【図２】（イ）照明装置の正面図  （ロ）照明装置の側面図
【図３】要部の斜視図
【図４】（イ）要部の正面図  （ロ）要部の側面図
【符号の説明】
【００３０】
３    支持部
８    バルーン
９    光源用電球
１２  規制フレーム
３３  給気装置
【図１】
2006252869.tif 000003
【図２】
2006252869.tif 000004
【図３】
2006252869.tif 000005
【図４】
2006252869.tif 000006